(57)【要約】【課題】ノートパソコン等の入出力装置が有する機能を極力除いたとしても、携帯型情報処理装置と接続させることによって、入出力装置から除いた機能を補うことができ、ノートパソコン等の入出力装置の軽量化・低コスト化を実現することができる。【解決手段】本発明の入出力装置は、入力手段および出力手段を有する入出力装置であって、携帯型情報処理装置を挿入可能な挿入口と、携帯型情報処理装置に接続可能な第１接続手段と、第１接続手段と、挿入口を介して収容される携帯型情報処理装置が有する第２接続手段との接続を検知する検知手段と、検知手段が接続を検知した場合に、入力手段がユーザから受け付けた入力情報を、携帯型情報処理装置に送信する送信手段と、送信された入力情報に基づいて携帯型情報処理装置が処理した結果に関する結果情報を受信し、受信した結果情報を出力手段に出力する受信手段と、を備える。【選択図】図２
2018116483.tif 000002
【特許請求の範囲】
【請求項１】
入力手段および出力手段を有する入出力装置であって、
携帯型情報処理装置を挿入可能な挿入口と、
前記携帯型情報処理装置に接続可能な第１接続手段と、
前記第１接続手段と、前記挿入口を介して収容される前記携帯型情報処理装置が有する第２接続手段との接続を検知する検知手段と、
前記検知手段が前記接続を検知した場合に、前記入力手段がユーザから受け付けた入力情報を、前記携帯型情報処理装置に送信する送信手段と、
前記送信された前記入力情報に基づいて前記携帯型情報処理装置が処理した結果に関する結果情報を受信し、受信した前記結果情報を前記出力手段に出力する受信手段と、を備える入出力装置。
【請求項２】
前記挿入口を介して、前記携帯型情報処理装置を完全に収容することを特徴とする、請求項１に記載の入出力装置。
【請求項３】
前記入出力装置が有する第１接続手段と、前記携帯型情報処理装置が有する第２接続手段との接続が、有線又は無線であることを特徴とする、請求項１又は請求項２に記載の入出力装置。
【発明の詳細な説明】
【技術分野】
【０００１】
本発明は、入出力装置に関し、特に、携帯型情報処理装置を挿入可能な挿入口を備える入出力装置に関する。
【背景技術】
【０００２】
近年、携帯型情報処理装置（例えば、スマートフォン）の高機能化が急速に進行している。携帯型情報処理装置（例えば、スマートフォン）と入出力装置（例えば、ノートパソコン）とを連動させて、「携帯型情報処理装置」が有する機能を「入出力装置」で利用する技術についての開発が進められている。
【０００３】
例えば、特許文献１に開示された情報処理装置は、携帯情報機器をはめ込んで用いるための装着部が設けられている。特許文献１には、情報処理装置の装着部において携帯情報機器の装着が検知されている時、携帯情報機器が有するタッチパネル型表示部を用いた操作入力に基づいて装置本体を制御する構成が開示されている。
【０００４】
特許文献１に開示された情報処理装置は、マウスポインタの操作を行うタッチパッドが除かれた構成を有している。このため、特許文献１に開示された情報処理装置は、通常のノートパソコンと比較して、軽量化することができる他、コストアップを抑えることができる利点を有している。
【先行技術文献】
【特許文献】
【０００５】
【特許文献１】特開２０１０−０７９７１５号公報
【発明の概要】
【発明が解決しようとする課題】
【０００６】
しかしながら、特許文献１に係る情報処理装置から除かれたのは、タッチパッドのみであって、携帯情報機器が有するタッチパネル機能という一部の機能を、情報処理装置で利用することができるに過ぎない。特許文献１に係る情報処理装置を、軽量化できるレベル、および低コスト化できるレベルは、さほど期待できるものではない。
【０００７】
そこで本発明は、上記事情に鑑み、ノートパソコン等の入出力装置が有する機能を極力除いたとしても、携帯型情報処理装置と接続させることによって、入出力装置から除いた機能を補うことができ、ノートパソコン等の入出力装置の軽量化・低コスト化を実現することを目的とするものである。
【課題を解決するための手段】
【０００８】
上記課題を解決するために、本発明に係る入出力装置は、入力手段および出力手段を有する入出力装置であって、携帯型情報処理装置を挿入可能な挿入口と、携帯型情報処理装置に接続可能な第１接続手段と、第１接続手段と、挿入口を介して収容される携帯型情報処理装置が有する第２接続手段との接続を検知する検知手段と、検知手段が接続を検知した場合に、入力手段がユーザから受け付けた入力情報を、携帯型情報処理装置に送信する送信手段と、送信された入力情報に基づいて携帯型情報処理装置が処理した結果に関する結果情報を受信し、受信した結果情報を出力手段に出力する受信手段と、を備えることを特徴とする。
【０００９】
また、本発明に係る入出力装置は、挿入口を介して、携帯型情報処理装置を完全に収容することができる。
【００１０】
また、本発明に係る入出力装置は、入出力装置が有する第１接続手段と、携帯型情報処理装置が有する第２接続手段との接続が、有線又は無線とすることができる。
【発明の効果】
【００１１】
本発明によれば、ノートパソコン等の入出力装置が有する機能を極力除いたとしても、携帯型情報処理装置と接続させることによって、入出力装置から除いた機能を補うことができ、ノートパソコン等の入出力装置の軽量化・低コスト化を実現する効果を奏する。
【図面の簡単な説明】
【００１２】
【図１】入出力装置Ａおよび携帯型情報処理装置Ｂそれぞれの要部構成の一例を示すブロック図である。
【図２】入出力装置Ａが有する挿入口Ｘを介して、携帯型情報処理装置Ｂが入出力装置Ａに収容される前の状態を表す斜視図である。
【図３】入出力装置Ａが有する挿入口Ｘを介して、携帯型情報処理装置Ｂが入出力装置Ａに収容される状態を示す図である。
【図４】入出力装置Ａが有する挿入口Ｘを介して、携帯型情報処理装置Ｂが入出力装置Ａに完全に収容された状態を示す図である。
【図５】入出力装置Ａが実行する処理の一例を示すフローチャートである。
【発明を実施するための形態】
【００１３】
図１〜図５に基づいて、本発明の実施の形態を説明する。
【００１４】
本発明において、入出力装置Ａは、例えば、ノートパソコンやデスクトップ、ラップトップ、タブレットなどである。なお、入出力装置Ａは、これらの例に限られず、どのような装置であってもよい。
【００１５】
本発明によって提供されるノートパソコン等の入出力装置Ａは、入力手段１および出力手段２を有する入出力装置であって、携帯型情報処理装置Ｂを挿入可能な挿入口Ｘと、携帯型情報処理装置Ｂに接続可能な第１接続手段と、第１接続手段と、挿入口を介して収容される携帯型情報処理装置Ｂが有する第２接続手段との接続を検知する検知手段と、検知手段が接続を検知した場合に、入力手段がユーザから受け付けた入力情報を、携帯型情報処理装置Ｂに送信する送信手段と、送信された入力情報に基づいて携帯型情報処理装置Ｂが処理した結果に関する結果情報を受信し、受信した結果情報を出力手段２に出力する受信手段と、を備える。
【００１６】
（入出力装置Ａおよび携帯型情報処理装置Ｂの構成）
本発明において提供されるノートパソコン等の入出力装置Ａは、図２に例示されるように、携帯型情報処理装置Ｂを挿入可能な挿入口Ｘを有する。
【００１７】
図１は、入出力装置Ａおよび携帯型情報処理装置Ｂそれぞれの要部構成の一例を示すブロック図である。
【００１８】
本発明に係る入出力装置Ａは、入力手段１、および出力手段２の他に、第１接続手段１１、検知手段１２、送信手段１３、および受信手段１４を有する。
【００１９】
本発明に係る入出力装置Ａは、携帯型情報処理装置Ｂを挿入可能な挿入口Ｘを有する。挿入口Ｘは、携帯型情報処理装置Ｂを収容することができれば、その形状は特に限定されるものではない。
【００２０】
携帯型情報処理装置Ｂは、本発明に係る入出力装置Ａの挿入口Ｘを介して、入出力装置Ａに収容される。
【００２１】
また、本発明に係る入出力装置Ａは、携帯型情報処理装置Ｂに接続可能な第１接続手段１１を有する。
【００２２】
一方、携帯型情報処理装置Ｂは、本発明に係る入出力装置Ａに接続可能な第２接続手段２１を有する。
【００２３】
本発明に係る入出力装置Ａは、入出力装置Ａが有する第１接続手段１１と、携帯型情報処理装置Ｂが有する第２接続手段２１との接続を検知する検知手段１２を有する。
【００２４】
また、本発明に係る入出力装置Ａは、検知手段１２が第１接続手段１１と第２接続手段２１との接続を検知した場合に、入力手段１がユーザから受け付けた入力情報を携帯型情報処理装置Ｂに送信する送信手段１３を有する。
【００２５】
更に、本発明に係る入出力装置Ａは、送信手段１３から送信された入力情報に基づいて、携帯型情報処理装置Ｂが処理した結果に関する結果情報を受信し、受信した結果情報を出力手段２に出力する受信手段１４を有する。
【００２６】
本発明で用いる携帯型情報処理装置Ｂとしては、第２接続手段２１を有する携帯型の情報処理装置であれば、特に限定されるものではない。
【００２７】
携帯型情報処理装置Ｂとしては、例えば、スマートフォン、タブレット（或いはタブレット端末）、携帯電話、ＰＨＳ、およびＰＤＡなどが挙げられる。
【００２８】
（入出力装置Ａの詳細）
本発明において提供されるノートパソコン等の入出力装置Ａは、携帯型情報処理装置Ｂを収容するための挿入口Ｘ、入力手段１、および出力手段２を備える。
【００２９】
図２は、入出力装置Ａが有する挿入口Ｘを介して、携帯型情報処理装置Ｂが入出力装置Ａに収容される前の状態を表す斜視図である。
【００３０】
入力手段１としては、ユーザからの入力情報を受け付けることができる手段であれば、特に限定されず、例えば、キーボード、マウス、スイッチ、タッチパネル、タッチパッド、およびマイク等が挙げられる。
【００３１】
出力手段２としては、携帯型情報処理装置Ｂが処理した結果に関する結果情報を出力することができる手段であれば、特に限定されず、例えば、ディスプレイ、およびスピーカー等が挙げられる。
【００３２】
図３は、入出力装置Ａが有する挿入口Ｘを介して、携帯型情報処理装置Ｂが入出力装置Ａに収容される状態を示す図である。
【００３３】
入出力装置Ａの挿入口Ｘは、携帯型情報処理装置Ｂを挿入する際の入口となる他に、一旦収容された携帯型情報処理装置Ｂを取り出す際の取出し口とすることができれば、その形状は、特に限定されるものではない。
【００３４】
なお、入出力装置Ａの挿入口Ｘは、挿入される携帯型情報処理装置Ｂの形や大きさ等に応じて、適宜設計変更が可能である。
【００３５】
図４は、入出力装置Ａが有する挿入口Ｘを介して、携帯型情報処理装置Ｂが入出力装置Ａに完全に収容された状態を示す図である。
【００３６】
携帯型情報処理装置Ｂが入出力装置Ａに収容される形態は、特に限定されるものではないが、図３に示されるように携帯型情報処理装置Ｂの一部が入出力装置Ａに収容される形態であってもよいし、図４に示されるように携帯型情報処理装置Ｂが入出力装置Ａに完全に収容される形態であってもよい。
【００３７】
入出力装置Ａが有する第１接続手段は、入力手段１がユーザから受け付けた入力情報を、携帯型情報処理装置Ｂに送信することができる接続手段であれば、特に限定されるものではない。
【００３８】
携帯型情報処理装置Ｂが有する第２接続手段は、入力手段１がユーザから受け付けた入力情報に基づいて携帯型情報処理装置Ｂが処理した結果に関する結果情報を入出力装置Ａに送信することができる接続手段であれば、特に限定されるものではない。
【００３９】
本発明に係る入出力装置Ａが有する第１接続手段と、携帯型情報処理装置Ｂが有する第２接続手段との接続は、入出力装置Ａと携帯型情報処理装置Ｂとの間で情報の送受信が互いに可能となる接続方式であれば、特に限定されず、有線による接続方式又は無線による接続方式が挙げられる。
【００４０】
具体的には、第１接続手段１１と第２接続手段２１との接続の接続方式は、例えば、ＵＳＢ（Ｕｎｉｖｅｒｓａｌ  Ｓｅｒｉａｌ  Ｂｕｓ）接続などの有線通信や、Ｂｌｕｅｔｏｏｔｈ（登録商標）などの近距離無線通信である。なお、これらの接続方式は、あくまでも例示であって、どのような接続方式であってもよい。
【００４１】
なお、入出力装置Ａにおいて、第１接続手段１１と入力手段１（例えば、キーボード、マウス）との接続は、特に限定されないが、Ｂｌｕｅｔｏｏｔｈ（登録商標）を介して接続されることが好ましい。
【００４２】
一方、入出力装置Ａにおいて、第１接続手段１１と出力手段２（例えば、ディスプレイ）との接続は、特に限定されないが、ｍｉｃｒｏ  ＵＳＢ（Ｕｎｉｖｅｒｓａｌ  Ｓｅｒｉａｌ  Ｂｕｓ）を介して接続されることが好ましい。
【００４３】
これによって、携帯型情報処理装置ＢがＭＨＬ対応のスマートフォンであった場合、出力手段２であるディスプレイがＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）接続対応であれば、第１接続手段１１と第２接続手段２１との接続によって、ＭＨＬ対応のスマートフォンから送信されるフルＨＤ・４Ｋ動画を出力手段２であるディスプレイに高精細に出力させることができる。
【００４４】
本発明に係る入出力装置Ａが備える検知手段１２は、入出力装置Ａが有する第１接続手段１１と、携帯型情報処理装置Ｂが有する第２接続手段２１との接続を検知することができる手段であれば、特に限定されない。
【００４５】
検知手段１２による検知方法としては、例えば、第２接続手段からの電気的な信号（例えば赤外線による信号）を、第１接続手段で受信できたか否かを検知する方法（電気的な接続検知方法）が挙げられる。
【００４６】
また、検知手段１２による検知方法としては、電気的な接続検知方法の他に、第１接続手段と第２接続手段との接続端子が互いに所定の接触をしたか否かを検知する方法（機械的な接続検知方法）が挙げられる。
【００４７】
本発明に係る入出力装置Ａが備える送信手段１３は、検知手段１２が第１接続手段１１と、第２接続手段２１との接続を検知した場合に、入力手段１がユーザから受け付けた入力情報を、携帯型情報処理装置Ｂに送信することができる手段であれば、特に限定されない。
【００４８】
ここで、「ユーザから受け付けた入力情報」とは、例えば、キーボード、マウス、および電源スイッチなどの入出力装置Ａが備える入力手段１を介した、ユーザの指示に応じた入力に関する情報などが一例として挙げられる。
【００４９】
本発明に係る入出力装置Ａが備える受信手段１４は、送信手段１３によって送信された入力情報に基づいて、携帯型情報処理装置Ｂが処理した結果に関する結果情報を受信し、当該受信した結果情報を出力手段２に出力することができる手段であれば、特に限定されない。
【００５０】
ここで、「携帯型情報処理装置Ｂが処理した結果に関する結果情報」とは、例えば、携帯型情報処理装置Ｂに保存された写真などの画像情報に対して、ユーザの検索指示に応じて検索された結果に関する情報などが一例として挙げられる。
【００５１】
その他には、携帯型情報処理装置Ｂで受信されたＥメールに関する情報に対して、ユーザの閲覧指示に応じて閲覧された結果に関する情報なども一例として挙げられる。
また、携帯型情報処理装置Ｂでダウンロードしたゲームのアプリケションに関する情報に対して、ユーザの選択指示に応じて選択された結果に関する情報なども一例として挙げられる。
【００５２】
上記で例示した、画像、Ｅメール、およびゲームのアプリケーションなどに関する情報は、入出力装置Ａにおけるディスプレイなどの出力手段２に出力され、ユーザーは携帯型情報処理装置Ｂの画面よりも拡大された入出力装置Ａにおける画面を見ることができ、ユーザの使用上の快適性を向上させることができる。
【００５３】
更に、ユーザーは携帯型情報処理装置Ｂよりも拡大された入出力装置Ａにおける画面を見ながら、携帯型情報処理装置Ｂの入力手段よりも操作性の高いキーボードやマウスなどの入力手段１を用いて指示を行うことができることから、ユーザの使用上の快適性を向上させることができる。
【００５４】
（入出力装置Ａが実行する処理）
図５は、本発明に係る入出力装置Ａが実行する処理の一例を示すフローチャートである。図５は、図１に示されるブロック図に対応するフローチャートである。
【００５５】
なお、以下の説明において、括弧書きの「〜ステップ」は、本発明に係る入出力装置Ａが実行する各ステップを表す。
【００５６】
本発明に係る入出力装置Ａが実行する処理としては、図５に例示される各ステップを経て実現される。
【００５７】
入出力装置Ａの挿入口Ｘを介して、携帯型情報処理装置Ｂを入出力装置Ａに収容する（ステップ１（Ｓ1）、以下「ステップ」を「Ｓ」と略記する、収容ステップ）。
【００５８】
ここで、入出力装置Ａに携帯型情報処理装置Ｂを収容する形態は、特に限定されるものではないが、入出力装置Ａに携帯型情報処理装置Ｂの一部を収容する形態であってもよいし、入出力装置Ａに携帯型情報処理装置Ｂを完全に収容する形態とすることもできる。
【００５９】
第１接続手段１１は、入出力装置Ａに携帯型情報処理装置Ｂを接続する（Ｓ２、第１接続ステップ）。
【００６０】
次いで、検知手段１２は、入出力装置Ａが有する第１接続手段１１と、携帯型情報処理装置Ｂが有する第２接続手段２１との接続を検知する（Ｓ３、検知ステップ）。
【００６１】
また、送信手段１３は、検知手段１２が第１接続手段１１と第２接続手段２１との接続を検知した場合に、入力手段１がユーザから受け付けた入力情報を携帯型情報処理装置Ｂに送信する（Ｓ４、送信ステップ）。
【００６２】
ここで、検知手段１２が第１接続手段１１と第２接続手段２１との接続は、有線又は無線による接続方式であることが好ましい。
【００６３】
また、受信手段１４は、送信手段１３から送信された入力情報に基づいて、携帯型情報処理装置Ｂが処理した結果に関する結果情報を受信し、受信した結果情報を出力手段２に出力する（Ｓ５、受信ステップ）。
【００６４】
以上に説明した本実施形態によれば、ノートパソコン等の入出力装置が有する機能を極力除いたとしても、携帯型情報処理装置と接続させることによって、入出力装置から除いた機能を補うことができ、ノートパソコン等の入出力装置の軽量化・低コスト化を実現することができる。
【００６５】
[付記事項]
本発明は上述した実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【符号の説明】
【００６６】
Ａ：入出力装置
Ｂ：携帯型情報処理装置
１：入力手段
２：出力手段
１１：第１接続手段
１２：検知手段
１３：送信手段
１４：受信手段
２１：第２接続手段
【図１】
2018116483.tif 000003
【図２】
2018116483.tif 000004
【図３】
2018116483.tif 000005
【図４】
2018116483.tif 000006
【図５】
2018116483.tif 000007